(57)【要約】【課題】媒体の搬送方向と直交する方向の位置を決める幅寄せ機構を搬送路中に配置した媒体処理装置において、幅寄せ機構を一方向から通過後、幅寄せＮＧとなった場合、再び幅寄せ機構を往復することでは幅寄せ処理をすることができないという問題がある。【解決手段】幅寄せ機構の後方から元の搬送路に戻るループ状の循環搬送路を設けたことを特徴とする。【選択図】図１
2010058928.tif 000002
【特許請求の範囲】
【請求項１】
媒体の搬送方向と直交する方向の位置を決める幅寄せ機構を搬送路中に配置した媒体処理装置において、
幅寄せ機構の後方から手前の搬送路に戻るループ状の循環搬送路を設けたことを特徴とする媒体処理装置。
【請求項２】
媒体の搬送方向と直交する方向の位置を決める幅寄せ機構を搬送路中に配置した媒体処理装置において、
搬送路中に媒体が基準位置にあるかを監視する監視センサを設け、その後に切替ブレードを介してループ状の循環搬送路を接続し、この循環搬送路中に幅寄せ機構を配置したことを特徴とする媒体処理装置。
【請求項３】
媒体の搬送方向と直交する方向の位置を決める幅寄せ機構を搬送路中に配置した媒体処理装置において、
幅寄せ機構を曲線形状にして媒体を曲折させた状態で幅寄せ処理を行うようにしたことを特徴とする媒体処理装置。
【発明の詳細な説明】
【技術分野】
【０００１】
本発明は、紙葉媒体を搬送処理する際に媒体の位置決めを行う幅寄せ機構を有する媒体処理装置に関する。
【背景技術】
【０００２】
媒体処理装置の中には、媒体に対して印字や磁気データの読み書き等を行うものがある。
このような媒体処理装置において、印字位置や磁気データ書き込み位置は、媒体の上端または下端、左端または右端からの位置が定められているために、正確な位置に印字したり磁気データの読み書きをしたりする場合、印字ヘッドや磁気ヘッドに対して媒体を正確に位置決めする必要がある。
【０００３】
一般に、上下（前後）方向の位置決めは、媒体の搬送位置の制御によって行い、直行する方向の位置決めは、搬送路の側面に設けられている基準面に媒体を突き当てることによって位置決めを行っている。
そのため、印字または磁気データの読み書き等をする媒体処理装置には、媒体搬送方向と直交する方向に位置を決める幅寄せ機構を具備している。一般に幅寄せ機構１００は図６に示す如く、搬送路１０１の途中に配置されている（例えば、特許文献１、特許文献２参照）。
【０００４】
また、幅寄せ機構の幅寄せの方式には、（１）搬送路中に設けたローラをアップさせて媒体の側面を叩いて基準面に媒体を突き当てる方式、（２）搬送路中に設けたローラをアップさせて幅寄せローラによって媒体の側面を基準面に突き当てる方式、（３）幅寄せ機構内で媒体をローラによって縦横相互に搬送して媒体の側面を基準面に突き当てる方式、（４）幅寄せ機構内に設けたテーパーローラにより搬送してその斜面により媒体の側面を基準面に突き当てる方式、（５）幅寄せ機構内に傾斜させて設けたローラにより搬送してその斜面により媒体の側面を基準面に突き当てる方式等がある。
【０００５】
これらの方式において、一般に媒体が基準面に突き当たったか否かをセンサで監視し、センサが設定条件を満たすことで幅寄せＯＫとして処置を完了するようになっている。
上記（１）、（２）の方式では、媒体が基準面に突き当たっていないと判断された場合（幅寄せＮＧ）、リトライ処理が可能なため、再度幅寄せ処理を行い、媒体が基準面に突き当っている（幅寄せＯＫ）と判断されれば幅寄せ処理を完了して次工程へ搬送することになる。
【０００６】
そして、幅寄せＮＧで規定回数のリトライオーバーとなった場合は、媒体を返却、または取り込む等の処理をし、印字または磁気データの読み書きの処理は行わない。よって、この媒体についての処理は成立しないことになる。
また、上記（３）、（４）、（５）の方式では、幅寄せ機構を一方向から通過することで幅寄せ処理が行われる方式であり、その幅寄せ機構を通過しても十分に媒体が寄せ切れない場合（幅寄せＮＧ）、リトライのために搬送方向を逆転し、幅寄せ機構を逆方向から通過させると、幅寄せ方向とは逆方向に媒体を移動させて元の位置にもどってしまう。よって、二度目に幅寄せ機構を通過させても、一度目と同様の処理を行うだけで、また寄せ切れずに幅寄せＮＧとなってしまう。
【特許文献１】特開２００１−１２１９５公報
【特許文献２】特開２００３−１８０８４４公報
【発明の開示】
【発明が解決しようとする課題】
【０００７】
上述した従来の（３）、（４）、（５）の技術においては、幅寄せ機構を一方向から通過後、幅寄せＮＧとなった場合、再び幅寄せ機構を通過させることでは幅寄せ処理をすることができないという問題がある。
本発明は、このような問題を解決することを課題とする。
【課題を解決するための手段】
【０００８】
そのため、本発明は、媒体の搬送方向と直交する（左右）方向の位置を決める幅寄せ機構を搬送路中に配置した媒体処理装置において、幅寄せ機構の後方から手前の搬送路に戻るループ状の循環搬送路を設けたことを特徴とする。
【発明の効果】
【０００９】
このようにした本発明は、循環搬送路中に幅寄せ機構を設け、幅寄せＮＧの媒体は一方向に搬送させ、再び循環搬送路に戻して幅寄せ処理を実施できるようにしたことにより、複数回の幅寄せ処理のリトライを可能にすることができるという効果が得られる。
【発明を実施するための最良の形態】
【００１０】
以下、図面を参照して本発明による実施例を説明する。
【実施例１】
【００１１】
図１は実施例１を示す説明図である。
図において、図示しない挿入口から挿入された媒体が矢印Ａ方向に搬送される第１の搬送路１と次工程へ搬送する第２の搬送路２があり、第１の搬送路１には、ループ状にする循環搬送路３を設けてある（第１の搬送路１にループ状の循環搬送路３を接続しても同じ構造である。）。この第１の搬送路１（循環搬送路３）と第２の搬送路２との分岐部４には切替ブレード５が設けてあり、この切替ブレード５により、一方は搬送路２、他方は循環搬送路３に切り替わるようになっている。搬送路２は媒体を矢印Ｂ方向に搬送して次の工程に受け渡し、循環搬送路３は矢印Ｃ方向に媒体を搬送して手前の搬送路１の合流部６につながるルートとなっている。
【００１２】
上記第１の搬送路１（循環搬送路３）中には幅寄せ機構７が設けてある。ここに設ける幅寄せ機構７はどのような方式の幅寄せ機構でもよい。
このような構成によると、第１の搬送路１を矢印Ａ方向に搬送されてきた媒体は、合流部６を通過して第１の搬送路１（循環搬送路３）の幅寄せ機構７に搬送され、幅寄せ処理が行われる。ここで、幅寄せ機構７の中にある図示しないセンサによって幅寄せＯＫと判断された場合、切替ブレード５は破線の方向に切り替えられて第２の搬送路２の矢印Ｂ方向に媒体は搬送され、次の工程に受け渡される。
【００１３】
幅寄せＮＧと判断された場合は、切替ブレード５は図示する実線の方向に切り替わり、媒体は循環搬送路３の矢印Ｃ方向に搬送され、合流部６に戻る。
再び、媒体は幅寄せ機構７に搬送され、幅寄せ処理を行い、幅寄せ処理がＯＫかＮＧかがセンサによって判断される。幅寄せＯＫの場合は切替ブレード５を破線の方向に戻して搬送路２は矢印Ｂ方向へ搬送され、幅寄せＮＧの場合は再び循環搬送路３に搬送されて一連のリトライを繰り返す。
【００１４】
なお、リトライ回数は予め設定されており、規定回数まで繰り返しても幅寄せＯＫとならない場合は、リトライを中止し、その媒体は異常媒体として返却等の処理をすることで一連の処理を完了させる。
以上の本実施例によると、搬送路中（循環搬送路中）に幅寄せ機構を設け、幅寄せＮＧの媒体は循環搬送路を経て搬送路に戻して再び幅寄せ処理を実施できるようにしたことにより、複数回の幅寄せ処理のリトライを可能にすることができるという効果を有する。
【実施例２】
【００１５】
図２、図３は実施例２を示す説明図である。
上記実施例１は循環搬送路３中の幅寄せ機構７の位置を切替ブレード５の切り替え動作の前となる個所に位置させた構成であるが、本実施例では循環搬送路３中の幅寄せ機構７の位置を切替ブレード５の切り替え動作の後となる個所に位置させた構成である。
図において、図示しない挿入口から挿入された媒体を矢印Ａ方向に搬送し、監視センサ８が配置されている第１の搬送路１と次工程へ搬送する第２の搬送路２との間にループ状の循環搬送路３を設け、この循環搬送路３と搬送路２との分岐部４には切替ブレード５が設けてあり、この切替ブレード５により、一方は搬送路２、他方は循環搬送路３に切り替わるようになっている。搬送路２は媒体を矢印Ｂ方向に搬送して次の工程に受け渡し、循環搬送路３は矢印Ｃ方向に媒体を搬送して手前の搬送路１の合流部６につながるルートとなっている。
【００１６】
上記循環搬送路３中には幅寄せ機構７が設けてある。ここに設ける幅寄せ機構７はどのような方式の幅寄せ機構でもよい。
このような構成によると、搬送路１に搬送されてきた媒体は監視センサ８を通過して幅寄せＯＫ、ＮＧの判断を行う。
監視センサ８により幅寄せＯＫと判断された場合は、切替ブレード５は図示の如く破線の状態に切り替えられて搬送路２の矢印Ｂ方向に媒体は搬送され、次の工程に受け渡される。
【００１７】
監視センサ８により幅寄せＮＧと判断された場合は、切替ブレード５は図示の如く実線の状態に切り替えられて媒体は循環搬送路３の矢印Ｃ方向に搬送され、循環搬送路３中にある幅寄せ機構７に搬送されて幅寄せ処理が行われる。この幅寄せ処理がＯＫかＮＧかを幅寄せ機構７の中にある図示しないセンサによって判断する。
媒体は、上記判断が幅寄せＯＫ、ＮＧのいずれの場合も、分岐部４まで搬送され、ＯＫの場合は、切替ブレード５は破線の方向に切り替えられて搬送路２の矢印Ｂ方向に媒体は搬送され、次の工程に受け渡される。
【００１８】
幅寄せＮＧと判断された場合は、切替ブレード５は実線の方向に切り替わり、媒体は循環搬送路３の矢印Ｃ方向に搬送され、再び、媒体は循環搬送路３の幅寄せ機構７に搬送され、幅寄せ処理を行い、幅寄せ処理がＯＫかＮＧかがセンサによって判断される。幅寄せＯＫの場合は搬送路２を矢印Ｂ方向へ搬送され、幅寄せＮＧの場合は再び循環搬送路３の幅寄せ機構７に搬送されて幅寄せ処理が行われる一連のリトライを繰り返す。
【００１９】
なお、リトライ回数は予め設定されており、規定回数まで繰り返しても幅寄せＯＫとならない場合は、リトライを中止し、その媒体は異常媒体として返却等の処理をすることで一連の処理を完了させる。
上記の構成において、搬送路１に監視センサ８を配置しなくてもよく、その場合は必ず１回循環搬送路３を通過させることにより、循環搬送路３の中に設けた幅寄せ機構７を通すことになり、これによって幅寄せ機構７中の図示しないセンサによって幅寄せＯＫ、ＮＧを監視することができ、幅寄せＮＧのときのリトライが可能である。
【００２０】
以上の本実施例によると、搬送路１に監視センサ８を配置し、循環搬送路３中の幅寄せ機構７の位置を切替ブレード５の切り替え動作の後となる個所に位置させたことにより、監視センサ８で幅寄せＯＫと判断された媒体は幅寄せ機構７を通すことなく搬送路２に搬送されて次の工程に受け渡されるために搬送距離を短くして処理時間を短縮することができる。
【００２１】
また、幅寄せＯＫの媒体に対しては幅寄せ処理を行わないために、処理中に媒体を傷つけるようなことがなくなる。
また、監視センサ８がない場合であっても、循環搬送路３に幅寄せ機構７を配置することにより、全体の搬送方向Ａ、Ｂに対して幅寄せ機構７の向きを自由に配置することができる。
【実施例３】
【００２２】
図４、図５は実施例３を示す説明図である。
本実施例は、幅寄せ機構を曲線形状に構成したものであり、循環搬送路または搬送路に限定することなく配置する構成であって、幅寄せ機構７を曲線形状に構成してある。その幅寄せ機構７を配置する箇所の搬送路の形状も環状を含む曲線形状となる。
幅寄せ機構の配置箇所は、上記各実施例と同様であり、それらに伴い媒体の搬送動作も上記の各説明の通りである。
【００２３】
以上の本実施例によると、幅寄せ機構による幅寄せ処理時に媒体が幅寄せ機構の曲線形状に沿って曲線形状となるために、幅寄せ方向に力を受けた時に媒体にコシがつき、直線形状に比べて撓みにくくなり、媒体を確実に幅寄せさせることができるものである。
また、幅寄せ機構を曲線形状にすることにより、幅寄せ機構の長さを短くすることができ、搬送路も曲線状となって短くなるために、装置の小型化をはかることができる。
【００２４】
本実施例では、媒体は矢印Ａ方向から矢印Ｂ方向に搬送されるとして説明したが、これに限定するものではなく、矢印Ｂ方向から矢印Ａ方向に搬送させて、同様に幅寄せを行うこともできる。なお、その場合には、合流部側に切替ブレードを要することになる。
【図面の簡単な説明】
【００２５】
【図１】実施例１を示す説明図
【図２】実施例２を示す説明図
【図３】実施例２を示す説明図
【図４】実施例３を示す説明図
【図５】実施例３を示す説明図
【図６】従来技術の説明図
【符号の説明】
【００２６】
１  搬送路
２  搬送路
３  循環搬送路
４  分岐部
５  切替ブレード
６  合流部
７  幅寄せ機構
８  監視センサ
【図１】
2010058928.tif 000003
【図２】
2010058928.tif 000004
【図３】
2010058928.tif 000005
【図４】
2010058928.tif 000006
【図５】
2010058928.tif 000007
【図６】
2010058928.tif 000008